(57)【特許請求の範囲】
【請求項１】
パチンコ遊技機の遊技盤の盤面に沿い設けられる支持壁と、この支持壁の両対向端部からその前側にて互いに接近する方向に長手状に延出される一対の案内部材とを有する基体と、
一対の可動装飾手段と、噛合手段と、回転電動機と、ばね手段とを備えており、
前記一対の可動装飾手段は、
前記一対の案内部材にその前面側から長手方向に沿い互いに対向して位置するように移動可能に支持される一対の可動装飾部材と、
当該一対の可動装飾部材に対応するように互いに対向して接近する方向に或いは離れる方向に移動可能に前記支持壁に沿い設けられる一対のラックと、
当該一対のラックと前記一対の可動装飾部材との間に連結されて前記一対のラックの互いに接近する方向への移動に応じて前記一対の可動装飾部材を互いに接近する方向及び互いに離れる方向のいずれか一方へ移動させ、また、前記一対のラックの互いに離れる方向への移動に応じて前記一対の可動装飾部材を互いに接近する方向及び互いに離れる方向のいずれか他方へ移動させる連結手段とを具備してなり、
前記噛合手段は、
前記回転電動機に同軸的に支持されて当該回転電動機と同一方向に回転するピニオンと、
前記ピニオン及び前記一対のラックの一方のラックの双方に噛合するように前記支持壁に支持されて前記ピニオン及び前記一方のラックとともに前記一対の可動装飾部材を互いに離れる方向に移動させるように第１噛合作動し或いは前記一対の可動装飾部材を互いに接近させる方向に移動させるように第２噛合作動する一側歯車部材と、
他方のラック及び前記ピニオンの双方に噛合するように前記支持壁に支持されて前記他方のラック及び前記ピニオンとともに前記第１噛合作動し或いは前記第２噛合作動する他側歯車部材とを具備してなり、
前記回転電動機は、前記噛合手段の前記一側及び他側の歯車部材を前記第１噛合作動し或いは前記第２噛合作動すべく駆動するようになっており、  
前記連結手段は、
前記一対の可動装飾部材の一方と前記一対のラックのうち前記一方の可動装飾部材に対応するラックとの間に連結される第１長手状連結部材であってその長手方向中間部位にて前記支持壁の下縁部から前方へ延出する延出壁に横方向に回動可能に支持される第１長手状連結部材と、
他方の可動装飾部材と他方のラックとの間に連結される第２長手状連結部材であってその長手方向中間部位にて前記支持壁の前記延出壁に横方向に回動可能に支持される第２長手状連結部材とを具備して、
前記第１及び第２の長手状連結部材にて、前記一対のラックの互いの接近する方向への移動に伴い互いに逆方向へ傾動して前記一対の可動装飾部材を互いに離れる方向に移動させ、また、前記一対のラックの互いの離れる方向への移動に伴い前記互いの逆方向への傾動とは逆の方向へ傾動して前記一対の可動装飾部材を互いに接近する方向に移動させるようになっており、
前記ばね手段は、前記一対のラックの間に介装されて当該一対のラックの対向間隔の最大値と最小値との間の長さに相当する自然長を有するコイルスプリングである可動演出装置。
【請求項２】
遊技盤と、当該遊技盤に設けてなる可動演出装置とを備えるパチンコ遊技機において、
前記可動演出装置は、請求項１に記載の可動演出装置であることを特徴とするパチンコ遊技機。
【発明の詳細な説明】
【技術分野】
【０００１】
本発明は、可動演出装置及びこの可動演出装置を備えたパチンコ遊技機に関する。
【背景技術】
【０００２】
従来、パチンコ遊技機においては、下記特許文献に記載のパチンコ遊技機が提案されている。このパチンコ遊技機においては、２つのギミックが、左右対称に配設されており、当該２つのギミックは、駆動機構により、左右方向において互いに逆方向へ傾動するように駆動される。
【０００３】
ここで、上記駆動機構は、左右一対のラックと、これらラックに噛合する左右一対のピニオンと、これらピニオンを支持する左右一対のモータとにより構成されている。これにより、左右一対のピニオンが、左右一対のラックとの噛合のもとに左右一対のモータの各回転に伴い互いに逆方向に移動して、２つのギミックを上述のごとく傾動させる。
【先行技術文献】
【特許文献】
【０００４】
【特許文献１】特開２００９−１９５３３９号公報
【発明の概要】
【発明が解決しようとする課題】
【０００５】
上記パチンコ遊技機におけるギミックの構成によると、駆動機構が、上述のごとく、左右一対のラック及び左右一対のピニオンによる噛合構成からなる。このため、ガタが、ラックとピニオンとの間に必然的に生じ、各ギミックの傾動動作がばらつく。換言すれば、各ギミックが、一様な傾動動作をすることができず、遊技者にとっては、各ギミックの演出に対する見映えがよくない。
【０００６】
そこで、本発明は、以上のようなことに対処するため、一対の可動装飾手段と駆動源との間に介装される噛合構成内に生じがちなガタを、弾力でもって吸収するように工夫を凝らし、一対の可動装飾手段の互いの逆方向移動におけるばらつきをなくするようにした可動演出装置及びこの可動演出装置を備えたパチンコ遊技機を提供することを目的とする。
【課題を解決するための手段】
【０００７】
上記課題の解決にあたり、本発明に係る可動演出装置は、請求項１の記載によれば、
パチンコ遊技機の遊技盤（１０）の盤面に沿い設けられる支持壁（２１０ａ）と、この支持壁の両対向端部からその前側にて互いに接近する方向に長手状に延出される一対の案内部材（２１１、２１２）とを有する基体（２１０）と、
一対の可動装飾手段（２２０、２３０、２４２ｄ、２４３ｆ、２４２ｂ、２４３ｃ）と、噛合手段（２４１ａ、２４２ａ、２４３ａ、２４３ｂ）と、回転電動機（２４１）と、ばね手段（２４４）とを備えている。
ここで、一対の可動装飾手段は、
一対の案内部材にその前面側から長手方向に沿い互いに対向して位置するように移動可能に支持される一対の可動装飾部材（２２０、２３０）と、
当該一対の可動装飾部材に対応するように互いに対向して接近する方向に或いは離れる方向に移動可能に前記支持壁に沿い設けられる一対のラック（２４２ｂ、２４３ｃ）と、
当該一対のラックと一対の可動装飾部材との間に連結されて一対のラックの互いに接近する方向への移動に応じて一対の可動装飾部材を互いに接近する方向及び互いに離れる方向のいずれか一方へ移動させ、また、一対のラックの互いに離れる方向への移動に応じて前記一対の可動装飾部材を互いに接近する方向及び互いに離れる方向のいずれか他方へ移動させる連結手段（２４２ｄ、２４３ｆ）とを具備してなり、
噛合手段は、
回転電動機に同軸的に支持されて当該回転電動機と同一方向に回転するピニオン（２４１ａ）と、
ピニオン及び一対のラックの一方のラック（２４２ｂ）の双方に噛合するように支持壁に支持されてピニオン及び上記一方のラックとともに一対の可動装飾部材を互いに離れる方向に移動させるように第１噛合作動し或いは一対の可動装飾部材を互いに接近させる方向に移動させるように第２噛合作動する一側歯車部材（２４２ａ）と、
他方のラック（２４３ｃ）及びピニオンの双方に噛合するように支持壁に支持されて上記他方のラック及びピニオンとともに上記第１噛合作動し或いは上記第２噛合作動する他側歯車部材（２４３ａ、２４３ｂ）とを具備してなり、
回転電動機は、噛合手段の一側及び他側の歯車部材を上記第１噛合作動し或いは上記第２噛合作動すべく駆動するようになっており、
連結手段は、
一対の可動装飾部材の一方と一対のラックのうち上記一方の可動装飾部材に対応するラックとの間に連結される第１長手状連結部材であってその長手方向中間部位にて支持壁の下縁部から前方へ延出する延出壁（２１０ｂ）に横方向に回動可能に支持される第１長手状連結部材（２４２ｄ）と、
他方の可動装飾部材と他方のラックとの間に連結される第２長手状連結部材であってその長手方向中間部位にて支持壁の上記延出壁に横方向に回動可能に支持される第２長手状連結部材（２４３ｆ）とを具備して、
第１及び第２の長手状連結部材にて、一対のラックの互いの接近する方向への移動に伴い互いに逆方向へ傾動して一対の可動装飾部材を互いに離れる方向に移動させ、また、一対のラックの互いの離れる方向への移動に伴い上記互いの逆方向への傾動とは逆の方向へ傾動して一対の可動装飾部材を互いに接近する方向に移動させるようになっており、
ばね手段は、一対のラックの間に介装されて当該一対のラックの対向間隔の最大値と最小値との間の長さに相当する自然長を有するコイルスプリングである。
【０００８】
これによれば、ばね手段が、一対のラックの間に介装されて当該一対のラックの対向間隔の最大値と最小値との間の長さに相当する自然長を有するコイルスプリングである。
【０００９】
従って、駆動源である回転電動機による駆動のもとに、噛合手段において、ピニオンが回転電動機と同一方向に回転し、一側歯車部材がピニオン及び上記一方のラックとともに第１噛合作動するとともに他側歯車部材が他方のラック及びピニオンとともに第１噛合作動して、一対の可動装飾部材を互いに離れる方向に移動させる過程において、一対のラックの対向間隔がばね手段であるコイルスプリングの自然長よりも短い間隔である間は、コイルスプリングは圧縮状態にあって一対のラック（一対の可動装飾部材）を互いに離す方向に反発力を発揮する。これに伴い、当該コイルスプリングの反発力が一対のラックに対しその第１噛合作動に逆らう方向に作用する。
【００１０】
然る後、一対のラック（一対の可動装飾部材）の対向間隔がコイルスプリングの自然長よりも長くなると、コイルスプリングが伸長状態に変化して一対のラックを互いに接近する方向に引き寄せる方向に引っ張り力を発揮する。このとき、当該コイルスプリングの引っ張り力が一側歯車部材及び他側歯車部材に対しその第２噛合作動に逆らう方向に作用する。
【００１１】
一方、回転電動機による駆動のもとに、噛合手段において、ピニオンが回転電動機と同一方向に回転し、一側歯車部材がピニオン及び上記一方のラックとともに第２噛合作動するとともに他側歯車部材が他方のラック及びピニオンとともに第２噛合作動して、一対の可動装飾部材を互いに接近する方向に作動させる過程において、一対のラックの対向間隔がコイルスプリングの自然長よりも長い間隔である間は、コイルスプリングは伸長状態にあって一対のラック（一対の可動装飾部材）を互いに接近する方向に引き付ける方向に引っ張り力を発揮する。これに伴い、当該コイルスプリングの引っ張り力が一対のラックに対しその第２噛合作動に逆らう方向に作用する。
【００１２】
然る後、一対のラック（一対の可動装飾部材）の対向間隔がコイルスプリングの自然長よりも短くなると、コイルスプリングが圧縮状態に変化して一対のラックを互いに離す方向に反発力を発揮する。これに伴い、当該コイルスプリングの反発力が一側歯車部材及び他側歯車部材に対しその第２噛合作動に逆らう方向に作用する。
【００１３】
以上によれば、噛合手段における一側及び他側の歯車部材と一対のラックとの間のバックラッシュを含めた回転電動機から一対の可動装飾部材までの間に生じる機械的組み付け誤差等に起因して発生しがちなガタが、一対の可動装飾部材の互いに離れる過程及び互いに接近する過程において、上述のようなコイルスプリングの作用により吸収されてなくなり、その結果、一対の可動装飾部材が一様な作動変化を発揮することとなって、遊技者にとり、一対の可動装飾部材の演出の見映えが良好に確保され得る。
【００２１】
また、本発明に係るパチンコ遊技機は、請求項２の記載によれば、
遊技盤（１０）と、当該遊技盤に設けてなる可動演出装置とを備える。
当該パチンコ遊技機において、可動演出装置は、請求項１に記載の可動演出装置であることを特徴とする。
【００２２】
これによれば、請求項１に記載の発明の作用効果を達成し得るパチンコ遊技機の提供が可能となる。
【発明の効果】
【００２３】
本発明によれば、ばね手段が、一対のラックの間に介装されて当該一対のラックの対向間隔の最大値と最小値との間の長さに相当する自然長を有するコイルスプリングである。
【００２４】
従って、一対の可動装飾部材の対向間隔の増大或いは減少に応じて、コイルスプリングが、噛合手段における一側及び他側の歯車部材と一対のラックとの間のバックラッシュを含めた回転電動機から一対の可動装飾部材までの間に生じる機械的組み付け誤差等に起因して発生しがちなガタを、吸収するように作用して、一対の可動装飾部材の演出の見映えを向上させ得る。
【００２５】
なお、上記各手段の括弧内の符号は、後述する実施形態に記載の具体的手段との対応関係を示す。
【図面の簡単な説明】
【００２６】
【図１】本発明が適用されるパチンコ遊技機の一実施形態を示す正面図である。
【図２】図１に示すパチンコ遊技機における遊技盤の正面図である。
【図３】図２に示す遊技盤における可動演出装置を、左右両側可動装飾部材の閉状態にて示す斜視図である。
【図４】図３に示す可動演出装置の背面図である。
【図５】図３及び図４に示す可動演出装置における左側ラックと左側可動装飾部材との連結構成を示す平面図である。
【図６】図３及び図４に示す可動演出装置における右側ラックと右側可動装飾部材との連結構成を示す平面図である。
【図７】上記実施形態におけるステッピングモータの電気制御構成を示すブロック図である。
【図８】上記実施形態における可動演出装置の背面図である。
【図９】図２に示す遊技盤における可動演出装置を、左右両側可動装飾部材の開状態にて示す斜視図である。
【発明を実施するための形態】
【００２７】
図１は、本発明が適用されるパチンコ遊技機の一実施形態を示している。当該パチンコ遊技機は、パチンコホール（図示しない）内の島（図示しない）に立設されるもので、このパチンコ遊技機は、機枠（図示しない）と、この機枠に対し前後方向に開閉可能に支持される遊技機本体Ｂ及び前扉ＦＤとにより構成されている。
【００２８】
なお、前扉ＦＤは、図１にて示すごとく、前枠ＦＤ１の中空部に窓ガラスＦＤ２を嵌め込んで構成されている。また、当該パチンコ遊技機は、いわゆる右打ちタイプのデジパチ型パチンコ遊技機からなるもので、図１において、図示左右方向が、当該パチンコ遊技機の左右方向に対応し、図示奥行き方向が、当該パチンコ遊技機の前後方向に対応し、また、図示上下方向が、当該パチンコ遊技機の上下方向に対応する。
【００２９】
遊技機本体Ｂは、図２にて示すごとく、遊技盤１０を備えており、この遊技盤１０は、遊技機本体Ｂの枠体（図示しない）に嵌装されている。なお、遊技機本体Ｂは、その枠体にて上記機枠に前後方向へ開閉可能に支持されている。
【００３０】
また、当該遊技機本体Ｂは、ガイドレール２０、環状のセンター構造物３０及び遊技釘群４０を備えている。ガイドレール２０は、図２にて示すごとく、遊技盤１０の盤面１１の外周部に沿い配設されており、このガイドレール２０は、その内周側において、遊技盤１０の盤面１１上に遊技領域１１ａを形成する。
【００３１】
しかして、当該ガイドレール２０は、操作ハンドルＨの図１にて図示時計方向への回動操作により、球発射装置（図示しない）から発射される遊技球を遊技領域１１ａの左側上部内に案内する。なお、上記球発射装置は、遊技機本体Ｂの上記枠体の右下部に配設されている。また、操作ハンドルＨは、上記球発射装置の一構成部品として遊技機本体Ｂの上記枠体の右下部にその前面から設けられている。
【００３２】
ここで、当該球発射装置は、操作ハンドルＨの回動角度に応じた打球力でもって、ガイドレール２０に沿い遊技球を所定の時間間隔にて順次発射するように構成されている。なお、操作ハンドルＨの回動角度は、所定回動角度以下に規制されている。
【００３３】
しかして、操作ハンドルＨの回動角度を、上記所定回動角度の最大値（最大回動角度）にすれば、遊技球は、操作ハンドルＨの最大の打球力でもって、ガイドレール２０に沿い発射されて、センター構造物３０の右側へ転動する。以下、このように操作ハンドルＨをその最大回動角度まで回動する操作を、右打ち操作という。
【００３４】
なお、遊技領域１１ａの一部を構成する遊技球通路１１ｂが、センター構造物３０の右側部とガイドレール２０との間に形成されている。このため、最大の発射速度で発射された遊技球がガイドレール２０の内周面に沿って移動し遊技球通路１１ｂへと案内されると、この遊技球は、遊技球通路１１ｂを通過した後、センター構造物３０の右下方へと落下していく。
【００３５】
また、操作ハンドルＨの回動角度を中間回動角度にすれば、遊技球は、センター構造物３０の右側に達することなく左側へ転動する。以下、このように操作ハンドルＨをその中間回動角度まで回動する操作を、左打ち操作という。
【００３６】
以上のように、右打ちタイプのパチンコ遊技機は、通常遊技状態では、遊技者による左打ち操作のもとに、遊技球の発射速度を低く抑えて遊技球をセンター構造物３０の左側へ誘導するようにし、また、遊技者に対して有利な遊技状態となる特定遊技状態（大当たりなど）の発生時には、遊技者による右打ち操作のもとに、遊技球の発射速度を最大にして、遊技球をセンター構造物３０の右側へ誘導し、遊技球通路１１ｂを通過して、アタッカー１００への入賞の機会及び右側スルーゲート７０ｂの通過の機会を形成する。
【００３７】
このように、右打ちタイプのパチンコ遊技機は、通常遊技状態と特定遊技状態とで、遊技者に対して、異なる操作ハンドルの操作を行わせて遊技させるタイプのパチンコ遊技機である。
【００３８】
センター構造物３０は、図２にて示すごとく、遊技盤１０の中央開口部の外周部に盤面１１側から組み付けられている。遊技釘群４０は、多数の遊技釘４１からなるもので、当該多数の遊技釘４１は、ガイドレール２０の内周側において、センター構造物３０の左上側から左下側を介し右下側にかけて、遊技盤１０にその盤面１１側から分散して打ち込まれている。
【００３９】
しかして、遊技釘群４０によれば、ガイドレール２０から遊技領域１２の左側上部内に順次案内される遊技球は、遊技盤１０の盤面１１に沿い、各遊技釘４１との衝突を経て、下方へ転動する。
【００４０】
また、当該遊技機本体Ｂは、画像表示器５０を備えており、この画像表示器５０は、その表示面である液晶パネル５１にて、遊技盤１０の中央開口部から前方を臨むように、遊技盤１０にその裏面側から配設されている。
【００４１】
しかして、この画像表示器５０は、表示制御装置（図示しない）による制御のもと、当該パチンコ遊技機による遊技の進行に伴い、大当たり抽選の結果を複数の装飾図柄により表示したり、或いは、リーチ演出として各種の動画像を表示する等の種々の演出表示を行う。
【００４２】
また、当該遊技機本体Ｂは、第１始動口装置であるスタートチャッカー６０ａ、第２始動口装置である電動チューリップ６０ｂ、左右両側スルーゲート７０ａ、７０ｂ、風車８０、複数（３つ）の普通入賞口９０、大入賞口装置であるアタッカー１００及び表示器群１１０を備えており、スタートチャッカー６０ａ、電動チューリップ６０ｂ、左右両側スルーゲート７０ａ、７０ｂ、風車８０、各普通入賞口９０及びアタッカー１００は、センター構造物３０とともに、左打ち操作による遊技球をスタートチャッカー６０ａに入賞させ易いように、かつ、右打ち操作による遊技球をスタートチャッカー６０ａに入賞させにくいように、図２に示す各配置位置にて、遊技盤１０の盤面１１に遊技領域１１ａ内にて組み付けられている。
【００４３】
ここで、スタートチャッカー６０ａは、センター構造物３０の下縁中央部の直下に位置しており、このスタートチャッカー６０ａは、その左右周辺に位置する複数の遊技釘４１（いわゆる道釘４１）により案内される遊技球やセンター構造物３０のステージ上から落下する遊技球に対し、入賞（始動入賞）の機会を与える。
【００４４】
また、当該スタートチャッカー６０ａは、その遊技球の入賞に基づき、所定個数の賞球を払い出すとともに大当たり抽選の機会を形成する。なお、上記大当たり抽選は、当落抽選ともいい、遊技球の大量獲得を目的とする長当たり、遊技球の大量獲得を目的としない短当たり、遊技球の大量獲得を目的としない小当たり、遊技球の獲得を不能にするハズレのいずれであるかにつき抽選することをいう。
【００４５】
電動チューリップ６０ｂは、普通電動役物としての役割を果たすべく、スタートチャッカー６０ａの直下に位置しており、この電動チューリップ６０ｂは、その左右両側羽根部材の閉動作により、遊技球に対し入賞の機会を与える。また、当該電動チューリップ６０ｂは、上記左右両側羽根部材の開動作により、遊技球に対する入賞の機会を増大させる。なお、電動チューリップ６０ｂは、スタートチャッカー６０ａと同様の遊技球の始動入賞口装置としての役割をも兼ね、所定個数の賞球の払い出すととともに大当たり抽選の機会を形成する。
【００４６】
左右両側スルーゲート７０ａ、７０ｂのうち、左側スルーゲート７０ａは、図２にて示すごとく、センター構造物３０の左縁中央部の左側に位置している。これにより、操作ハンドルＨの左打ち操作によりセンター構造物３０の左側上部に案内された遊技球が当該左側スルーゲート７０ａの直上から遊技盤１０の盤面１１に沿い下方へ転動するとき、当該遊技球は左側スルーゲート７０ａを通過する機会を得る。なお、遊技球の左側スルーゲート７０ａの通過でもって、電動チューリップ６０ｂを所定の時間及び所定の回数だけ開放する機会を与えるための普通図柄の抽選が開始される。
【００４７】
一方、右側スルーゲート７０ｂは、図２にて示すごとく、センター構造物３０の右下側隅角部の右斜め下側に位置している。これにより、操作ハンドルＨの右打ち操作によりセンター構造物３０の右側上部内に案内された遊技球が遊技盤１０の盤面１１に沿い下方へ転動するとき、当該遊技球は右側スルーゲート７０ｂを通過する機会を得る。なお、遊技球の右側スルーゲート７０ｂの通過でもって、電動チューリップ６０ｂを所定の時間及び所定の回数だけ開放する機会を与えるための普通図柄の抽選が開始される。
【００４８】
風車８０は、左側スルーゲート７０ａの下方に位置しており、この風車８０は、遊技盤１０の盤面１１に沿い左側スルーゲート７０ａ或いはその周囲から下方へ転動する遊技球により衝突されたとき、回転しつつ当該遊技球を下方へ転動させる。
【００４９】
複数（３つ）の普通入賞口９０は、スタートチャッカー６０ａの左側に位置しており、これら各普通入賞口９０は、その直上から下方へ転動する遊技球に対し入賞の機会を与える。ここで、普通入賞口９０への遊技球の入賞に伴い、所定個数の賞球が払い出される。
【００５０】
アタッカー１００は、図２にて示すごとく、電動チューリップ６０ｂの右斜め上方及び右側スルーゲート７０ｂの左斜め下方に位置するように、遊技盤１０にその盤面１１側から組み付けられている。しかして、当該アタッカー１００は、特定遊技状態の発生時に開閉動作をし、右打ちされた遊技球（最大の発射速度で発射された遊技球）を入賞可能にする。
【００５１】
表示器群１１０は、図２にて示すごとく、遊技盤１０の右下隅角部にその前面側から配設されており、この表示器群１００は、普通図柄表示器、普通図柄保留器、特別図柄表示器及び特別図柄保留器でもって構成されている。
【００５２】
ここで、上記普通図柄表示器は、普通図柄を変動表示してこの普通図柄の変動表示の終了に伴い当該普通図柄の抽選結果を表示する。上記普通図柄保留器は、普通図柄の変動表示の保留数を表示する。
【００５３】
上記特別図柄表示器は、スタートチャッカー６０ａへの遊技球の入賞或いは電動チューリップ６０ｂへの遊技球の入賞に伴いなされる大当たり抽選の結果に基づき、特別図柄を変動表示して、この特別図柄の変動表示の終了に伴い大当たり抽選の結果を表示する。また、上記特別図柄保留器は、特別図柄の変動表示の保留数を表示する。
【００５４】
可動演出装置２００は、図２に示すように、環状のセンター構造物３０の上部に設けられている。当該可動演出装置２００は、図３或いは図４にて示すごとく、基体２１０と、左右両側可動装飾部材２２０、２３０と、駆動装置２４０とにより構成されている。
【００５５】
基体２１０は、支持壁２１０ａと、底壁２１０ｂと、後壁（図示しない）とを備えており、支持壁２１０ａは、上記後壁を介し、センター構造物３０の上部にその前側から左右方向に延在するように取り付けられている。底壁２１０ｂは、支持壁２１０ａの下縁部から後方へＬ字状に折れ曲がって延出している。上記後壁は、底壁２１０ｂの延出縁部から上方へＬ字状に折れ曲がって支持壁２１０ａに沿い延出している。
【００５６】
また、当該基体２１０は、左右両側長手中空状案内部材２１１、２１２を備えており、左側案内部材２１１は、支持壁２１０ａの左側下端部から前方に向けて凸な円弧形状にて右方へ延出されている。一方、右側案内部材２１２は、支持壁２１０ａの右側下端部から前方に向けて前方に向けて凸な円弧形状にて左方へ延出されている。
【００５７】
換言すれば、左右両側長手中空状案内部材２１１、２１２は、環状のセンター構造物３０の上部において、支持壁２１０ａの左右両側下端部から前方に向けて凸な円弧形状にて支持壁２１０ａの左右方向中央側へ延出している。
【００５８】
ここで、左側長手中空状案内部材２１１は、上下両側案内穴部２１１ａ及び前側案内穴部２１１ｂを有しており、上下両側案内穴部２１１ａは、左側長手中空状案内部材２１１の上下両側壁部にその長手方向に沿い切り欠き形成されている。また、前側案内穴部２１１ｂは、左側長手中空状案内部材２１１の前側壁部にその長手方向に沿い切り欠き形成されている。
【００５９】
一方、右側長手中空状案内部材２１２は、上下両側案内穴部２１２ａ（図３では、上側案内穴部２１２ａのみを示す）及び前側案内穴部２１２ｂを有しており、上下両側案内穴部２１２ａは、右側長手中空状案内部材２１２の上下両側壁部にその長手方向に沿い切り欠き形成されている。また、前側案内穴部２１２ｂは、右側長手中空状案内部材２１２の前側壁部にその長手方向に沿い切り欠き形成されている。
【００６０】
左右両側可動装飾部材２２０、２３０のうち、左側可動装飾部材２２０は、後述のごとく、左側案内部材２１１にその前面側から左右方向に移動可能に支持されており、一方、右側可動装飾部材２３０は、後述のごとく、右側案内部材２１２にその前面側から左右方向に移動可能に支持されている。
【００６１】
左側可動装飾部材２２０は、図３或いは図５にて示すごとく、両飾り板２２１と、当該両飾り板２２１を支持する帯状支持部材２２２とを備えている。両飾り板２２１は、その各裏面にて、帯状支持部材２２２の帯状板本体２２２ａ（後述する）にその前面側から左右に装着されており、当該両飾り板２２１は、それぞれ、「水」及び「戸」の２文字を表す各発光文字部２２１ｂを有するように構成されている。しかして、当該両飾り板２２１は、各発光文字部２２１ａにて、選択的に発光して、「水戸黄門」という文字のうちの「水戸」を表示する。
【００６２】
帯状支持部材２２２は、図５にて示すごとく、帯状板本体２２２ａと、この帯状板本体２２２ａの左右方向中間部位から互いに平行にその裏面側へ延出する左右両側支持腕２２２ｂと、当該左右両側支持腕２２２ｂの各延出端部に回動自在に支持してなる左右両側ローラ２２２ｃとにより構成されている。ここで、左右両側ローラ２２２ｃは、それぞれ、その各上下方向軸２２２ｄを介し、各対応の支持腕２２２ｂの延出端部に回動自在に支持されている。なお、各上下方向軸２２２ｄは、左右両側支持腕２２２ｂの各延出端部に上下方向に延在するように支持されている。
【００６３】
このように構成した帯状支持部材２２２においては、帯状板本体２２２ａが、その裏面にて、基体２１０の左側案内部材２１１にその前面側から沿って位置するように、左右両側支持腕２２２ｂが、その各延出端部にて、左側案内部材２１１内にその前側案内穴部２１１ｂを通り左右方向に移動自在に延出されている。
【００６４】
左右両側ローラ２２２ｃは、それぞれ、上下一対の内側ローラ部及び外側ローラ部を各上下方向軸２２２ｄに同軸的に支持してなるもので、左側ローラ２２２ｃは、その対応上下方向軸２２２ｄ及びこの上下方向軸２２２ｄに支持してなる上下一対の内側ローラ部及び外側ローラ部にて、左側案内部材２１１の内側及び上側に位置するように左側案内部材２１１に組み付けられている。
【００６５】
ここで、左側ローラ２２２ｃの上下一対の内側ローラ部は、それぞれ、左側案内部材２１１の上下両壁部の内側にて左側案内部材２１１の前後両壁部に沿い左右方向に回動自在となっている。また、左側ローラ２２２ｃの外側ローラ部は、対応の上下方向軸２２２ｄの左側案内部材２１１の上側案内穴部２１１ａに対する延出上端部に回動自在に支持されている。
【００６６】
右側可動装飾部材２３０は、図３或いは図６にて示すごとく、両飾り板２３１と、この飾り板２３１を支持する帯状支持部材２３２とを備えている。両飾り板２３１は、その裏面にて、帯状支持部材２３２の帯状板本体２３２ａ（後述する）にその前面側から左右に装着されており、当該両飾り板２３１は、それぞれ、「黄」及び「門」の２文字を表す各発光文字部２３１ｂを有するように構成されている。しかして、この飾り板２３１は、両発光文字部２３１ａにて、選択的に発光して、「水戸黄門」という文字のうちの「黄門」を表示する。
【００６７】
帯状支持部材２３２は、帯状板本体２３２ａと、この帯状板本体２３２ａの左右方向中間部位から互いに平行にその裏面側へ延出する左右両側支持腕２３２ｂと、当該左右両側支持腕２３２ｂの各延出端部に回動自在に支持してなる左右両側ローラ２３２ｃとにより構成されている。ここで、左右両側ローラ２３２ｃは、それぞれ、その各上下方向軸２３２ｄを介し、各対応の支持腕２３３２ｂの延出端部に回動自在に支持されている。なお、各上下方向軸２３２ｄは、左右両側支持腕２３２ｂの各延出端部に上下方向に延在するように支持されている。
【００６８】
このように構成した帯状支持部材２３２においては、帯状板本体２３２ａが、その裏面にて、基体２１０の右側案内部材２１２にその前面側から沿って位置するように、左右両側支持腕２３２ｂが、その各延出端部にて、右側案内部材２１２内にその前側案内穴部２１２ｂを通り左右方向に移動自在に延出されて、各上下方向軸２３２ｄを介し、左右両側ローラ２３２ｃを支持している。
【００６９】
左右両側ローラ２３２ｃは、それぞれ、上下一対の内側ローラ部及び外側ローラ部を各上下方向軸２３２ｄに同軸的に支持してなるもので、左側ローラ２３２ｃは、その対応上下方向軸２３２ｃ及びこの上下方向軸２３２ｃに支持してなる上下一対の内側ローラ部及び外側ローラ部にて、右側案内部材２１２の内側及び上側に位置するように左側案内部材２１２に組み付けられている。
【００７０】
ここで、右側ローラ２３２ｃの上下一対の内側ローラ部は、それぞれ、右側案内部材２１２の上下両壁部の内側にて右側案内部材２１２の前後両壁部に沿い左右方向に回動自在となっている。また、右側ローラ２３２ｃの外側ローラ部は、対応の上下方向軸２３２ｄの右側案内部材２１２の上側案内穴部２１２ａに対する延出上端部に回動自在に支持されている。
【００７１】
駆動装置２４０は、図３或いは図４にて示すごとく、ステッピングモータ２４１と、左右両側噛合機構２４２、２４３と、コイルスプリング２４４とにより構成される。
【００７２】
ステッピングモータ２４１は、図３にて示すごとく、基体２１０の支持壁２１０ａの左右方向中間部位に形成した開口部内に同軸的に嵌装されている。但し、当該ステッピングモータ２４１は、ピニオン２４１ａを支持すべく、出力軸２４１ｂにて、支持壁２１０ａの左右方向中間部位の後方に延出するように、上記開口部内に同軸的に嵌装されている（図４参照）。
【００７３】
左右両側噛合機構２４２、２４３のうち、左側噛合機構２４２は、ステッピングモータ２４１の出力軸２４１ｂに同軸的に支持してなるピニオン２４１ａにその左側から噛合する左側平歯車２４２ａと、この左側平歯車２４２ａにその下方から噛合する左側ラック２４２ｂとを備えている。
【００７４】
左側平歯車２４２ａは、ピニオン２４１ａの左側にて支持壁２１０ａと支持壁２１０ａの上記後壁（図示しない）との間に前後方向軸２４２ｃを介し回転自在に支持されており、当該左側平歯車２４２ａは、その右側及び下側にて、ピニオン２４１ａ及び左側ラック２４２ｂに噛合している。なお、前後方向軸２４２ｃは、その前後方向両端部にて、支持壁２１０ａ及び支持壁２１０ａの上記後壁に支持されている。
【００７５】
これにより、左側平歯車２４２ａは、ステッピングモータ２４１の正転（或いは逆転）に伴い正転（或いは逆転）するピニオン２４１ａにより駆動されて、逆転（或いは正転）する。なお、ステッピングモータ２４１の正転（或いは逆転）は、当該ステッピングモータ２４１の図４にて図示時計方向回転（或いは図示反時計方向回転）に対応する。
【００７６】
左側ラック２４２ｂは、基体２１０の底壁２４２ｂの左側部位上にて左右方向に移動可能に延在するように支持壁２１０ａとその上記後壁との間に介装されている。これにより、当該左側ラック２４２ｂは、その上側歯部ａによる左側平歯車２４２ａとの噛合のもとに、図４にて示すごとく、当該左側平歯車２４２ａの反時計方向回転に伴い、左方へ移動し、また、当該左側平歯車２４２ａの時計方向回転に伴い、右方へ移動する。
【００７７】
なお、左側ラック２４２ｂは、上側歯部ａ及び前側歯部ｂを有しており、上側歯部ａは、左側ラック２４２ｂのラック本体の左右方向中間部位にその上側から形成されている。また、前側歯部ｂは、左側ラック２４２ｂのラック本体の左右方向中間部位にその前側から形成されている。
【００７８】
また、左側噛合機構２４２は、図３及び図５にて示すごとく、左側傾動レバー２４２ｄを備えており、当該左側傾動レバー２４２ｄは、後述のごとく、左側ローラ２２２ｃの上側ローラ部を介する左側案内部材２１１と左側ラック２４２ｂの前側歯部ｂとの間に左右方向に傾動可能に連結されている。
【００７９】
ここで、左側傾動レバー２４２ｄは、図５にて示すごとく、セクター歯車部２４２ｅ及び長穴部２４２ｆを有しており、セクター歯車部２４２ｅは、左側傾動レバー２４２ｄの傾動基端部として形成されている。また、長穴部２４２ｆは、左側傾動レバー２４２ｄの傾動先端部として当該左側傾動レバー２４２ｄに長手方向に沿い長穴状に形成されている。
【００８０】
このように構成した左側傾動レバー２４２ｄは、セクター歯車部２４２ｅの傾動中心部にて、ピン２４２ｇにより、左右方向へ傾動可能に基体２１０の底壁２１０ｂ上に支持されている。また、左側傾動レバー２４２ｄは、長穴部２４２ｆ内に左側ローラ２２２ｄの上側ローラ部を相対移動自在に収容している。
【００８１】
これにより、左側傾動レバー２４２ｄは、セクター歯車部２４２ｅにて、左側ラック２４２ｂの前側歯部ｂと噛合するとともに、長穴部２４２ｆにて、左側ローラ２２２ｃの上側ローラ部と相対移動自在に係合することで、ピン２４２ｇの軸周りに、傾動可能となっている。換言すれば、左側傾動レバー２４２ｄは、ラック２４２ｂの左方への移動に伴い、ピン２４２ｇを軸に傾動し左側可動装飾部材２２０を右方へ移動させ、また、ラック２４２ｂの右方への移動に伴い、ピン２４２ｇを軸に傾動し左側可動装飾部材２２０を左方へ移動させる。
【００８２】
右側噛合機構２４３は、ピニオン２４１ａにその右側から噛合する中間平歯車２４３ａと、この中間平歯車２４３ａにその右側から噛合する右側平歯車２４３ｂと、この右側平歯車２４３ｂにその下方から噛合する右側ラック２４３ｃとを備えている。なお、中間平歯車２４３ａは、ピニオン２４１ａと同一の外径を有するとともに、右側平歯車２４３ｂは、左側平歯車２４２ａと同一の外径を有する。
【００８３】
中間平歯車２４３ａは、支持壁２１０ａと支持壁２１０ａの上記後壁との間に前後方向軸２４３ｄを介し回転自在に支持されており、当該中間平歯車２４３ａは、ピニオン２４３ａと右側平歯車２４３ｂとの間にてこれらピニオン２４３ａ及び右側平歯車２４３ｂに噛合する。なお、前後方向軸２４３ｄは、その前後両端部にて、支持壁２１０ａ及び支持壁２１０ａの上記後壁に支持されている。
【００８４】
右側平歯車２４３ｂは、中間平歯車２４３ａの右側にて、前後方向軸２４３ｅを介し支持壁２１０ａとその上記後壁との間に回転自在に支持されており、当該右側平歯車２４３ｂは、中間平歯車２４３ａ及び右側ラック２４３ｃの上側歯部ｃに噛合する。なお、前後方向軸２４３ｅは、その前後両端部にて、支持壁２１０ａ及びその上記後壁に支持されている。
【００８５】
これにより、右側平歯車２４３ｂは、ステッピングモータ２４１の正転（或いは逆転）に伴い正転（或いは逆転）するピニオン２４１ａにより中間平歯車２４３ａを介し駆動されて、正転（或いは逆転）する。
【００８６】
右側ラック２４３ｃは、基体２１０の底壁２４２ｂの右側部位上にて左右方向に移動可能に延在するように支持壁２１０ａとその上記後壁との間に介装されている。これにより、当該右側ラック２４３ｃは、その上側歯部ｃによる右側平歯車２４３ｂとの噛合のもとに、図４にて示すごとく、当該右側平歯車２４３ｂの時計方向回転に伴い、左方へ移動し、また、当該右側平歯車２４３ｂの反時計方向回転に伴い、右方へ移動する。なお、右側ラック２４３ｃは、上側歯部ｃ及び前側歯部ｄを有しており、上側歯部ｃは、右側ラック２４３ｃのラック本体の左端部位にその上側から形成されている。また、前側歯部ｄは、右側ラック２４３ｃのラック本体の右端部位にその前側から形成されている。
【００８７】
また、右側噛合機構２４３は、図３及び図６にて示すごとく、右側傾動レバー２４３ｆを備えており、当該右側傾動レバー２４３ｆは、右側ローラ２３２ｄの上側ローラ部を介する右側案内部材２１２と右側ラック２４３ｃの前側歯部ｄとの間に左右方向に傾動可能に連結されている。
【００８８】
ここで、右側傾動レバー２４３ｆは、図６にて示すごとく、セクター歯車部２４３ｇ及び長穴部２４３ｈを有しており、セクター歯車部２４３ｇは、右側傾動レバー２４３ｆの傾動基端部として形成されている。また、長穴部２４３ｈは、右側傾動レバー２４３ｆの傾動先端部として当該右側傾動レバー２４３ｆに長手方向に沿い長穴状に形成されている。
【００８９】
このように構成した右側傾動レバー２４３ｆは、セクター歯車部２４３ｇの傾動中心部にて、ピン２４３ｉにより、左右方向へ傾動可能に基体２１０の底壁２１０ｂ上に支持されている。また、右側傾動レバー２４３ｆは、長穴部２４３ｈ内に右側ローラ２３２ｃの上側ローラ部を相対移動自在に収容している。
【００９０】
これにより、右側傾動レバー２４３ｆは、セクター歯車部２４３ｇにて、右側ラック２４３ｃの前側歯部ｄと噛合するとともに、長穴部２４３ｈにて、右側ローラ２３２ｃの上側ローラ部と相対移動自在に係合することで、ピン２４３ｉの軸周りに、傾動可能となっている。換言すれば、右側傾動レバー２４３ｆは、右側ラック２４３ｃの右方への移動に伴い、ピン２４３ｉを軸に傾動し右側可動装飾部材２３０を左方へ移動させ、また、右側ラック２４３ｃの左方への移動に伴い、ピン２４３ｉを軸に傾動し右側可動装飾部材２３０を左方へ移動させる。
【００９１】
このことは、左右両側ラック２４２ｂ、２４３ｃが、互いに接近する方向に移動することで、左右両側可動装飾部材２２０、２３０を互いに逆方向に離れる方向に移動させ、また、左右両側ラック２４２ｂ、２４３ｃが、互いに離れる方向に移動することで、左右両側可動装飾部材２２０、２３０を互いに接近する方向に移動させることを意味する。
【００９２】
なお、本実施形態では、左側ラック２４２ｂ及び左側傾動レバー２４２ｄが、ともに左側噛合機構２４２に含まれる構成となっているが、これに代えて、左側ラック２４２ｂ及び左側傾動レバー２４２ｄが、左側可動装飾部材２２０とともに、左側可動装飾手段を構成するように把握してもよい。また、本実施形態では、右側ラック２４３ｃ及び右側傾動レバー２４３ｆが、ともに右側噛合機構２４３に含まれる構成となっているが、これに代えて、右側ラック２４３ｃ及び右側傾動レバー２４３ｆが、右側可動装飾部材２３０とともに、右側可動装飾手段を構成するように把握してもよい。
【００９３】
コイルスプリング２４４は、図４或いは図９にて示すごとく、左右両側Ｌ字状係止板２４５の間に介装されている。左右両側Ｌ字状係止板２４５は、それぞれ、左右両側ラック２４２ｂ、２４３ｃの付属部品であって、左側Ｌ字状係止板２４５は、その装着部ｅにて、左側ラック２４２ｂの右端上部上に装着されており、当該左側Ｌ字状係止板２４５の係止部ｆは、脚部ｅの右端部から上方へＬ字状に折れ曲がって延出している。一方、右側Ｌ字状係止板２４５は、その装着部ｅにて、右側ラック２４３ｃの左端上部上に装着されており、当該右側Ｌ字状係止板２４５の係止部ｆは、右側Ｌ字状係止板２４５の脚部ｅの左端部から上方へＬ字状に折れ曲がって延出している。
【００９４】
コイルスプリング２４４は、その軸方向両端部にて、左右両側Ｌ字状係止板２４５の各係止部ｆに係止している。これに伴い、左右両側ラック２４２ｂ、２４３ｃの対向間隔が最大値のとき、当該コイルスプリング２４４は、左右両側ラック２４２ｂ、２４３ｃを互いに接近させる方向に引っ張る役割を果たす。また、左右両側ラック２４２ｂ、２４３ｃの対向間隔が最小値のとき、コイルスプリング２４４は、左右両側ラック２４２ｂ、２４３ｃを互いに逆方向に離すように押す役割を果たす。
【００９５】
換言すれば、本実施形態では、コイルスプリング２４４の自然長は、左右両側ラック２４２ｂ、２４３ｃの対向間隔の最大値と最小値との間の長さに選定されている。従って、左右両側ラック２４２ｂ、２４３ｃが対向間隔の最大値の位置から最小値の位置にかけて移動する過程では、コイルスプリング２４４の弾力は、自然長より長い伸長状態から当該自然長よりも短い短縮状態に変化する。このことは、コイルスプリング２４４の弾力が、反発力から引っ張り力に変化することを意味する。
【００９６】
逆に、左右両側ラック２４２ｂ、２４３ｃが対向間隔の最小値の位置から最大値の位置にかけて移動する過程では、コイルスプリング２４４の弾力は、自然長より短い短縮状態から当該自然長よりも長い伸長状態に変化する。このことは、コイルスプリング２４４の弾力が、引っ張り力から反発力に変化することを意味する。なお、左右両側可動装飾部材２２０、２３０の対向間隔は、左右両側ラック２４２ｂ、２４３ｃの対向間隔に一義的に対応することから、コイルスプリング２４４の自然長は、左右両側可動装飾部材２２０、２３０の対向間隔の最大値と最小値との間の長さに選定されているともいえる。
【００９７】
ここで、コイルスプリング２４４の自然長とは、当該コイルスプリング２４４が弾力（反発力及び引っ張り力）を発生していない状態にあるときの長さをいう。
【００９８】
次に、ステッピングモータ２４１の電気的制御装置について、図７を参照して説明すると、当該電気的制御装置は、左端位置センサＳ１及び右端位置センサＳ２と、第１及び第２の始動口スイッチ６１ａ、６１ｂと、遊技制御回路３００と、ステッピングモータ２４１を駆動する駆動回路４００とにより構成されている。
【００９９】
左端位置センサＳ１は、基体２１０の支持壁２１０ａの適所に設けられており、当該左端位置センサＳ１は、左側ラック２４２ｂの左側移動端位置を検出する。このことは、当該左端位置センサＳ１は、左側可動装飾部材２２０の右側移動端位置を検出することを意味する。右端位置センサＳ２は、基体２１０の支持壁２１０ａの適所に設けられており、当該右端位置センサＳ２は、左側ラック２４２ｂの右側移動端位置を検出する。このことは、当該右端位置センサＳ２は、左側可動装飾部材２２０の左側移動端位置を検出することを意味する。
【０１００】
第１始動口スイッチ６１ａは、第１始動口装置６０ａに設けられており、この第１始動口スイッチ６１ａは、第１始動口装置６０ａへの遊技球の入賞を検出する。第２始動口スイッチ６１ｂは、第２始動口装置６０ｂに設けられており、この第２始動口スイッチ６１ｂは、第２始動口装置６０ｂへの遊技球の入賞を検出する。
【０１０１】
遊技制御回路３００は、左端位置センサＳ１の検出出力、右端位置センサＳ２の検出出力、第１始動口スイッチ６１ａの検出出力或いは第２始動口スイッチ６１ｂの検出出力に基づき、駆動回路４００を介しステッピングモータ２４１を駆動停止制御する。ここで、ステッピングモータ２４１の駆動停止制御は、例えば、当該パチンコ遊技機における遊技中においてリーチの到来の際に、左右両側可動装飾部材２２０、２３０を最大対向間隔の位置と最小対向間隔の位置との間にて互いに逆方向へ往復移動させる制御である。
【０１０２】
以上のように構成した本実施形態において、当該パチンコ遊技機による遊技者の遊技中において、可動演出装置２００の左右両側可動装飾部材２２０、２３０が、図３にて示す状態（閉状態）にあるものとする。
【０１０３】
このような閉状態にあっては、左右両側ラック２４２ｂ、２４３ｃは、その各対向端部にて最も離れた位置にあり、左右両側可動装飾部材２２０、２３０は、その各両飾り板２２１、２３１にて、左右に最も接近した位置にある（図３及び図４参照）。このことは、左右両側ラック２４２ｂ、２４３ｃの対向間隔は最大値にあり、左右両側可動装飾部材２２０、２３０の対向間隔は最小値にあることを意味する。
【０１０４】
ここで、コイルスプリング２４４の自然長は、上述のごとく、左右両側ラック２４２ｂ、２４３ｃの対向間隔の最大値と最小値との間の長さに設定されているから、コイルスプリング２４４は、その軸方向両端部にて、左右両側係止板２４５を介し左右両側ラック２４２ｂ、２４３ｃにより、互いに離れる方向に伸長されて張設状態にある（図４参照）。
【０１０５】
このとき、左側平歯車２４２ａは、左側ラック２４２ｂの上側歯部ａにその右端側にて噛合し、一方、右側平歯車２４３ｂは、右側ラック２４３ｃにその左端側にて噛合している。なお、ステッピングモータ２４１は、右端位置センサＳ２の検出出力に基づく遊技制御回路３００により制御のもとに、駆動回路４００により停止状態に維持されている。
【０１０６】
このような状態では、コイルスプリング２４４は、左右両側ラック２４２ｂ、２４３ｃによって、伸長する方向に引っ張られていることから、当該コイルスプリング２４４は、逆に、その弾力（引っ張り力）により、左右両側ラック２４２ｂ、２４３ｃを相互に接近させる方向に引っ張り込むように作用する。
【０１０７】
このため、ピニオン２４１、左側平歯車２４２ａ及び左側ラック２４２ｂの間において、円滑な噛合状態を確保するために必然的に形成されるバックラッシュや機械的組み付け誤差等に起因して発生しがちなガタ、及びピニオン２４１、中間歯車２４３ａ、右側平歯車２４３ｂ及び右側ラック２４３ｃの間において、円滑な噛合状態を確保するために必然的に形成されるバックラッシュや機械的組み付け誤差等に起因して発生しがちなガタが、上述のような左右両側ラック２４２ｂ、２４３ｃに対するコイルスプリング２４４の引っ張り込みにより吸収されてなくなる。
【０１０８】
従って、左右両側ラック２４２ｂ、２４３ｃは、互いに位置ずれすることなく、対向間隔を一義的に最大値に維持し得る。このことは、左右両側可動装飾部材２２０、２３０が、閉状態にて、左右対称的な位置にて互いに位置ずれすることなく、対向間隔を一義的に最小値に維持し得ることを意味する。
【０１０９】
このような状態において、当該パチンコ遊技機による遊技のもとに、遊技球がスタートチャッカー６０ａ或いは電動チューリップ６０ｂに入賞すると、第１始動口スイッチ６１ａ或いは第２始動口スイッチ６１ｂが当該入賞遊技球を検出する。
【０１１０】
すると、遊技制御回路３００が、第１始動口スイッチ６１ａ或いは第２始動口スイッチ６１ｂの検出出力に基づき、駆動回路４００を介しステッピングモータ２４１を駆動制御する。この駆動制御は、上述のごとく、例えば、当該パチンコ遊技機における遊技中においてリーチの到来の際に、左右両側可動装飾部材２２０、２３０を互いに逆方向へ往復移動させる制御である。
【０１１１】
ここで、現段階では、左右両側可動装飾部材２２０、２３０が上述のごとく閉状態にあることから、ステッピングモータ２４１は、遊技制御回路３００による制御のもとに、駆動回路２４１により図４にて図示反時計方向に回転されてピニオン２４１ａが同一方向に回転する。
【０１１２】
これに伴い、左側噛合機構２４２においては、左側平歯車２４２ａが、ピニオン２４１ａとの噛合のもとに、図４にて図示時計方向に回転し、左側ラック２４２ｂが、その上側歯部ａによる左側平歯車２４２ａとの噛合のもとに、右方へ移動する。一方、右側噛合機構２４３においては、中間歯車２４３ａが、ピニオン２４１ａとの噛合のもとに、図４にて図示時計方向に回転し、右側平歯車２４３ｂが、中間歯車２４３ａとの噛合のもとに、図４にて反時計方向に回転し、右側ラック２４３ｃが、その上側歯部ｃによる右側平歯車２４３ｂとの噛合のもとに、左方へ移動する。
【０１１３】
このことは、左右両側ラック２４２ｂ、２４３ｃが、ステッピングモータ２４１の図４にて図示反時計方向への回転に伴い、互いに接近する方向へ移動することを意味する。これにより、左右両側ラック２４２ｂ、２４３ｃの対向間隔が、その最大値から順次狭くなっていく。
【０１１４】
このような過程においては、コイルスプリング２４４が、その自然長に向けて、左右両側ラック２４２ｂ、２４３ｃの対向間隔の最大値に対応した張設状態に相当する長さから左右両側ラック２４２ｂ、２４３ｃの接近に対し当該左右両側ラック２４２ｂ、２４３ｃを互いに引き寄せるように順次短縮されていく。そして、左右両側ラック２４２ｂ、２４３ｃの対向間隔がコイルスプリング２４４の自然長よりも狭くなると、その後は、コイルスプリング２４４が左右両側ラック２４２ｂ、２４３ｃの互いの接近に対し反発力を作用させながら短縮されていく。
【０１１５】
また、上述のように左右両側ラック２４２ｂ、２４３ｃが、互いに接近する方向へ移動すると、左右両側傾動レバー２４２ｄ、２４３ｆが、それぞれ、各長穴部２４２ｆ、２４３ｈにて、各軸２４２ｇ、２４３ｉの軸周りに、互いに離れる方向に傾動する（図８及び図９参照）。これに伴い、左右両側可動装飾部材２２０、２３０が、それぞれ、左右両側案内部材２１１、２１２に沿い互いに逆向きに離れる方向へ移動する（図９参照）。
【０１１６】
このような過程においては、上述のようにピニオン２４１、左側平歯車２４２ａ及び左側ラック２４２ｂの間に発生しがちなガタ及びピニオン２４１、中間歯車２４３ａ、右側平歯車２４３ｂ及び右側ラック２４３ｃの間に発生しがちなガタが、上述のような左右両側ラック２４２ｂ、２４３ｃに対するコイルスプリング２４４の反発作用及び引っ張り込み作用により吸収されてなくなる。
【０１１７】
従って、左右両側ラック２４２ｂ、２４３ｃは、ともに、その移動方向において、対向間隔をばらつくことなく円滑に増大していく。
【０１１８】
然る後、左端位置センサＳ１が左側ラック２４２ｂの右側移動端位置を検出すると、ステッピングモータ２４１が、左端位置センサＳ１の検出出力に基づく遊技制御回路３００の制御のもと駆動回路４００により停止される。このため、左右両側ラック２４２ｂ、２４３ｃが、その対向間隔の最小値に対応する位置にて、停止して、左右両側案内部材２１１、２１２を介し、左右両側可動装飾部材２２０、２３０を、その対向間隔の最大値に対応する位置にて停止させる。
【０１１９】
このような状態では、コイルスプリング２４４は、左右両側ラック２４２ｂ、２４３ｃによって、短縮方向に圧縮されていることから、当該コイルスプリング２４４は、逆に、その弾力（反発力）により、左右両側ラック２４２ｂ、２４３ｃを相互に引き離すように作用する。このため、ピニオン２４１、左側平歯車２４２ａ及び左側ラック２４２ｂの間において発生しがちなガタ、及びピニオン２４１、中間歯車２４３ａ、右側平歯車２４３ｂ及び右側ラック２４３ｃの間において発生しがちなガタが、上述のような左右両側ラック２４２ｂ、２４３ｃに対するコイルスプリング２４４の引き離し作用により吸収されてなくなる。
【０１２０】
従って、左右両側ラック２４２ｂ、２４３ｃは、互いに位置ずれすることなく、対向間隔を一義的に最小値に維持し得る。このことは、左右両側可動装飾部材２２０、２３０が、開状態にて、左右対称的な位置にて互いに位置ずれすることなく、対向間隔を一義的に最大値に維持し得ることを意味する。
【０１２１】
以後、上述のような左右両側可動装飾部材２２０、２３０の開閉作動は、ステッピングモータ２４１の時計方向及び反時計方向への各回転（図４参照）の繰り返しに基づく左右両側ラック２４２ｂ、２４３ｃの互いに逆方向への往復移動により繰り返される。
【０１２２】
以上説明したように、本実施形態によれば、コイルスプリング２４４の自然長は、上述のごとく、左右両側ラック２４２ｂ、２４３ｃの対向間隔の最大値と最小値との間の長さに設定されている。
【０１２３】
従って、左右両側可動装飾部材２２０、２３０が開状態にあるときには、左右両側ラック２４２ｂ、２４３ｃが互いに最も接近した状態にあるから、コイルスプリング２４４が左右両側ラック２４２ｂ、２４３ｃにより圧縮されて短縮状態にある。このため、コイルスプリング２４４は、その弾力（反発力）でもって、左右両側ラック２４２ｂ、２４３ｃを互いに離す方向に作用する。
【０１２４】
これに伴い、左側ラック２４２ｂに作用するコイルスプリング２４４の反発力は、左側ラック２４２ｂの上側歯部ａ及び左側平歯車２４２ａを介してピニオン２４１ａに作用する。このため、上述のようにピニオン２４１、左側平歯車２４２ａ及び左側ラック２４２ｂの間に発生しがちなガタがなくなる。
【０１２５】
一方、右側ラック２４３ｃに作用するコイルスプリング２４４の反発力は、右側ラック２４３ｃの上側歯部ｃ、右側平歯車２４３ｂ及び中間歯車２４３ａを介しピニオン２４１に作用する。このため、上述のように、ピニオン２４１、中間歯車２４３ａ、右側平歯車２４３ｂ及び右側ラック２４３ｃの間に発生しがちなガタがなくなる。
【０１２６】
これにより、左右両側可動装飾部材２２０、２３０が、閉状態にて、互いに位置ずれすることなく、対向間隔を一義的に最小値に維持し得る。
【０１２７】
また、上述のごとく、コイルスプリング２４４の自然長は、左右両側ラック２４２ｂ、２４３ｃの対向間隔の最大値と最小値との間の長さに設定されている。従って、左右両側ラック２４２ｂ、２４３ｃが、互いに最も接近した状態から互いに逆向きに離れる方向に移動するときには、左右両側ラック２４２ｂ、２４３ｃは、コイルスプリング２４４の反発力により互いに離れる方向に押されながら移動する。そして、左右両側ラック２４２ｂ、２４３ｃの対向間隔がコイルスプリング２４４の自然長に相当する間隔まで増大した後は、左右両側ラック２４２ｂ、２４３ｃは、コイルスプリング２４４の引っ張り力により互いに接近する方向に引っ込まれながら移動する。
【０１２８】
換言すれば、左側ラック２４２ｂに作用するコイルスプリング２４４の反発力及び引っ張り力は、左側ラック２４２ｂの上側歯部ａ及び左側平歯車２４２ａを介してピニオン２４１ａに作用する。このため、上述のようにピニオン２４１、左側平歯車２４２ａ及び左側ラック２４２ｂの間に発生しがちなガタがなくなる。
【０１２９】
一方、右側ラック２４３ｃに作用するコイルスプリング２４４の反発力及び引っ張り力は、右側ラック２４３ｃの上側歯部ｃ、右側平歯車２４３ｂ及び中間歯車２４３ａを介しピニオン２４１に作用する。このため、上述のように、ピニオン２４１、中間歯車２４３ａ、右側平歯車２４３ｂ及び右側ラック２４３ｃの間に発生しがちなガタがなくなる。
【０１３０】
このように、左右両側ラック２４２ｂ、２４３ｃがその対向間隔を増大する方向へ互いに移動する過程においては、コイルスプリング２４４の弾力の反発力から引っ張り力への経時的変化によって、上述した双方のガタが吸収されてなくなる。
【０１３１】
これにより、左右両側可動装飾部材２２０、２３０は、その閉状態から移動する過程において、互いに移動方向に位置ずれすることなく、移動し得る。
【０１３２】
また、このような過程を経て、左右両側可動装飾部材２２０、２３０が閉状態になった状態では、左右両側ラック２４２ｂ、２４３ｃが互いに最も離れた状態にあるから、上述したような自然長を有するコイルスプリング２４４が、左右両側ラック２４２ｂ、２４３ｃにより引っ張られて伸長状態にある。このため、コイルスプリング２４４は、その弾力（引っ張り力）でもって、左右両側ラック２４２ｂ、２４３ｃを互いに接近させる方向に作用する。
【０１３３】
これに伴い、左側ラック２４２ｂに作用するコイルスプリング２４４の引っ張り力は、左側ラック２４２ｂの上側歯部ａ及び左側平歯車２４２ａを介してピニオン２４１ａに作用する。このため、上述のようにピニオン２４１、左側平歯車２４２ａ及び左側ラック２４２ｂの間に発生しがちなガタがなくなる。
【０１３４】
一方、右側ラック２４３ｃに作用するコイルスプリング２４４の引っ張り力は、右側ラック２４３ｃの上側歯部ｃ、右側平歯車２４３ｂ及び中間歯車２４３ａを介しピニオン２４１に作用する。このため、上述のように、ピニオン２４１、中間歯車２４３ａ、右側平歯車２４３ｂ及び右側ラック２４３ｃの間に発生しがちなガタがなくなる。
【０１３５】
これにより、左右両側可動装飾部材２２０、２３０が、閉状態にて、互いに位置ずれすることなく、対向間隔を一義的に最小値に維持し得る。
【０１３６】
また、上述のごとく、コイルスプリング２４４の自然長は、左右両側ラック２４２ｂ、２４３ｃの対向間隔の最大値と最小値との間の長さに設定されている。従って、左右両側ラック２４２ｂ、２４３ｃが、互いに最も離れた状態から互いに逆向きに接近する方向に移動するときには、左右両側ラック２４２ｂ、２４３ｃは、コイルスプリング２４４の引っ張り力により互いに接近する方向に引き込まれながら移動する。そして、左右両側ラック２４２ｂ、２４３ｃの対向間隔がコイルスプリング２４４の自然長に相当する間隔まで減少した後は、左右両側ラック２４２ｂ、２４３ｃは、コイルスプリング２４４の反発力により互いに離れる方向に反発されながら移動する。
【０１３７】
換言すれば、左側ラック２４２ｂに作用するコイルスプリング２４４の引っ張り力及び反発力は、左側ラック２４２ｂの上側歯部ａ及び左側平歯車２４２ａを介してピニオン２４１ａに作用する。このため、上述のようにピニオン２４１、左側平歯車２４２ａ及び左側ラック２４２ｂの間に発生しがちなガタがなくなる。
【０１３８】
一方、右側ラック２４３ｃに作用するコイルスプリング２４４の反発力及び引っ張り力は、右側ラック２４３ｃの上側歯部ｃ、右側平歯車２４３ｂ及び中間歯車２４３ａを介しピニオン２４１に作用する。このため、上述のように、ピニオン２４１、中間歯車２４３ａ、右側平歯車２４３ｂ及び右側ラック２４３ｃの間に発生しがちなガタがなくなる。
【０１３９】
このように、左右両側ラック２４２ｂ、２４３ｃがその対向間隔を減少する方向へ互いに移動する過程においては、コイルスプリング２４４の弾力の引っ張り力から反発力への経時的変化によって、上述した双方のガタが吸収されてなくなる。
【０１４０】
その結果、左右両側可動装飾部材２２０、２３０が、一様な移動動作及び停止動作を発揮することから、遊技者にとり、左右両側可動装飾部材２２０、２３０の演出に対する見映えが良好に確保され得る。
【０１４１】
なお、本発明の実施にあたり、上記実施形態に限ることなく、次のような種々の変形例が挙げられる。
（１）本発明の実施にあたり、上記実施形態とは異なり、左右両側ラック２４２ｂ、２４３ｃの互いに離れる方向への移動に伴い、左右両側可動装飾部材２２０、２３０を互いに離れる方向へ移動させ、また、左右両側ラック２４２ｂ、２４３ｃの互いに近づく方向への移動に伴い、左右両側可動装飾部材２２０、２３０を互いに近づく方向へ移動させるように構成してもよい。
（２）本発明の実施にあたり、上記実施形態とは異なり、左右両側ラック３４２ｂ、２４３ｃに代えて、左右両側送りねじを用いるようにしてもよい。
（３）本発明の実施にあたり、基体２１０の左右両側長手中空状案内部材２１１、２１２は、上記実施形態にて述べたような中空状に限ることなく、左右両側可動装飾部材２２０、２３０を左右両側傾動レバー２４２ｄ、２４３ｆに左右方向に移動可能に連結し得る構成であれば、どのような構成であってもよい。
（４）本発明の実施にあたり、ステッピングモータ２４１に限ることなく、各種の回転電動機を当該ステッピングモータに代えて採用してもよい。
【符号の説明】
【０１４２】
１０…遊技盤、２００…可動演出装置、２１０…基体、２１０ａ…支持壁、
２１１…左側中空状案内部材、２１２…右側中空状案内部材、２２０…左側可動装飾部材、
２３０…右側可動装飾部材、２４１…ステッピングモータ、２４１ａ…ピニオン、
２４２…左側噛合機構、２４２ｂ…左側ラック、２４３ｃ…右側ラック、
２４３…右側噛合機構、２４４…コイルスプリング。
【図１】
0005634197.tif 000002
【図２】
0005634197.tif 000003
【図３】
0005634197.tif 000004
【図４】
0005634197.tif 000005
【図５】
0005634197.tif 000006
【図６】
0005634197.tif 000007
【図７】
0005634197.tif 000008
【図８】
0005634197.tif 000009
【図９】
0005634197.tif 000010